(57)【特許請求の範囲】
【請求項１】
少なくとも端末装置、機器及び状態管理装置がネットワークに接続され、該機器が、該端末装置からのアクセスを受けて各種動作処理を行い、該状態管理装置が、該端末装置を含む該ネットワークの状態変化を検出する情報処理システムであって、
前記状態管理装置は、
前記ネットワークを介して前記端末装置及び前記機器と通信する通信手段と、
前記通信手段を介して前記端末装置を含む前記ネットワークにおける状態変化を検知する検知手段と、
前記検知手段によって検知された前記状態変化に対応して分類された通知レベルの状態変化情報を、前記通信手段を介して前記機器に通知する通知手段と、
を備え、
前記機器は、
前記ネットワークを介して前記端末装置及び前記状態管理装置と通信する通信手段と、
動作処理における動作設定として初期設定されている初期設定情報と、前記状態管理装置から通知される前記状態変化情報に応じた動作設定を示す変化状態設定情報とを記憶する設定情報記憶手段と、
前記通信手段が前記状態変化情報を受信すると、前記初期設定情報及び該状態変化情報と、前記変化状態設定情報とに基づいて、現在の動作設定を変更する設定変更手段と、
前記動作設定に基づいて動作処理を制御する動作制御手段と、
を備え、
前記設定情報記憶手段は、
前記変化状態設定情報として、少なくとも、動作処理対象のデータへのアクセスを制御するアクセス制御設定情報と、前記機器の利用におけるユーザ認証を制御するユーザ認証制御設定情報とを記憶し、
前記設定変更手段は、
前記初期設定情報及び前記状態変化情報と、前記アクセス制御設定情報と前記ユーザ認証制御設定情報とのうちの少なくともいずれかとに基づいて、現在のアクセスの制御設定とユーザ認証制御設定とのうちの少なくともいずれかを変更する
ことを特徴とする情報処理システム。
【請求項２】
少なくとも端末装置、機器及び状態管理装置がネットワークに接続され、該機器が、該端末装置からのアクセスを受けて各種動作処理を行い、該状態管理装置が、該端末装置を含む該ネットワークの状態変化を検出する情報処理システムであって、
前記状態管理装置は、
前記ネットワークを介して前記端末装置及び前記機器と通信する通信手段と、
前記通信手段を介して前記端末装置を含む前記ネットワークにおける状態変化を検知する検知手段と、
前記検知手段によって検知された前記状態変化に対応して分類された通知レベルの状態変化情報を、前記通信手段を介して前記機器に通知する通知手段と、
を備え、
前記機器は、
前記ネットワークを介して前記端末装置及び前記状態管理装置と通信する通信手段と、
動作処理における動作設定として初期設定されている初期設定情報と、前記状態管理装置から通知される前記状態変化情報に応じた動作設定を示す変化状態設定情報とを記憶する設定情報記憶手段と、
前記通信手段が前記状態変化情報を受信すると、前記初期設定情報及び該状態変化情報と、前記変化状態設定情報とに基づいて、現在の動作設定を変更する設定変更手段と、
前記動作設定に基づいて動作処理を制御する動作制御手段と、
を備え、
前記検知手段は、
前記状態変化として、ウィルス感染を含むセキュリティ状態変化を検知し、
前記通知手段は、
前記ウィルス感染を示すウィルス感染情報を含む前記状態変化情報を、前記通信手段を介して前記機器に通知し、
前記設定情報記憶手段は、
前記変化状態設定情報として、ウィルスに対応するワクチンプログラムの取得動作を示すプログラム取得設定情報を記憶し、
前記設定変更手段は、
前記初期設定情報及び前記状態変化情報のウィルス感染情報と、前記プログラム取得設定情報とに基づいて、前記動作設定を、通知されたウィルス感染情報に応じたワクチンプログラムを取得する動作設定に変更する
ことを特徴とする情報処理システム。
【請求項３】
少なくとも端末装置、機器及び状態管理装置がネットワークに接続され、該機器が、該端末装置からのアクセスを受けて各種動作処理を行い、該状態管理装置が、該端末装置を含む該ネットワークの状態変化を検出する情報処理システムであって、
前記状態管理装置は、
前記ネットワークを介して前記端末装置及び前記機器と通信する通信手段と、
前記通信手段を介して前記端末装置を含む前記ネットワークにおける状態変化を検知する検知手段と、
前記検知手段によって検知された前記状態変化に対応して分類された通知レベルの状態変化情報を、前記通信手段を介して前記機器に通知する通知手段と、
を備え、
前記機器は、
前記ネットワークを介して前記端末装置及び前記状態管理装置と通信する通信手段と、
動作処理における動作設定として初期設定されている初期設定情報と、前記状態管理装置から通知される前記状態変化情報に応じた動作設定を示す変化状態設定情報とを記憶する設定情報記憶手段と、
前記通信手段が前記状態変化情報を受信すると、前記初期設定情報及び該状態変化情報と、前記変化状態設定情報とに基づいて、現在の動作設定を変更する設定変更手段と、
前記動作設定に基づいて動作処理を制御する動作制御手段と、
を備え、
前記検知手段は、
前記状態変化として、ウィルス感染を含むセキュリティ状態変化を検知し、
前記通知手段は、
前記ウィルス感染を示すウィルス感染情報を含む前記状態変化情報を、前記通信手段を介して前記機器に通知し、
前記設定情報記憶手段は、
前記変化状態設定情報として、ウィルスに対応するワクチンプログラムの取得催促動作を示すプログラム取得催促設定情報を記憶し、
前記設定変更手段は、
アクセスしてくる前記端末装置に対して、前記初期設定情報及び前記状態変化情報のウィルス感染情報と、前記プログラム取得催促設定情報とに基づいて、前記動作設定を、ウィルスに感染している旨及び前記ワクチンプログラムの取得を促す旨の通知を行う動作設定に変更する
ことを特徴とする情報処理システム。
【請求項４】
前記情報処理システムは、
前記機器が画像形成装置であることを特徴とする請求項１から請求項３のいずれかに記載の情報処理システム。
【請求項５】
少なくとも端末装置及び状態管理装置が接続されているネットワークに接続され、該端末装置からのアクセスを受けて各種動作処理を行い、該状態管理装置から、該端末装置を含む該ネットワークの状態変化の検出結果として、前記状態変化に対応して分類された通知レベルの状態変化情報が通知される画像形成装置であって、
前記ネットワークを介して前記端末装置及び前記状態管理装置と通信する通信手段と、
動作処理における設定状態として初期設定されている初期設定情報と、前記状態管理装置から通知される前記状態変化情報に応じた設定状態を示す変化状態設定情報とを記憶する設定情報記憶手段と、
前記通信手段が前記状態変化情報を受信すると、前記初期設定情報及び該状態変化情報と、前記変化状態設定情報とに基づいて、現在の動作設定を変更する設定変更手段と、
前記動作設定に基づいて動作処理を制御する動作制御手段と、
を備え、
前記設定情報記憶手段は、
前記変化状態設定情報として、少なくとも、動作処理対象のデータへのアクセスを制御するアクセス制御設定情報と、前記画像形成装置の利用におけるユーザ認証を制御するユーザ認証制御設定情報とを記憶し、
前記設定変更手段は、
前記初期設定情報及び前記状態変化情報と、前記アクセス制御設定情報と前記ユーザ認証制御設定情報とのうちの少なくともいずれかとに基づいて、現在のアクセスの制御設定とユーザ認証制御設定とのうちの少なくともいずれかを変更する
ことを特徴とする画像形成装置。
【請求項６】
少なくとも端末装置、機器及び状態管理装置がネットワークに接続され、該機器が、該端末装置からのアクセスを受けて各種動作処理を行い、該状態管理装置が、該端末装置を含む該ネットワークの状態変化を検出する情報処理システムにおける設定状態管理方法であって、
前記状態管理装置は、
前記ネットワークを介して前記端末装置及び前記機器と通信する通信処理ステップと、
前記通信処理ステップを介して前記端末装置を含む前記ネットワークにおける状態変化を検知する検知処理ステップと、
前記検知処理ステップによって検知された前記状態変化に対応して分類された通知レベルの状態変化情報を、前記通信処理ステップを介して前記機器に通知する通知処理ステップと、
を有し、
前記機器は、
前記ネットワークを介して前記端末装置及び前記状態管理装置と通信する通信処理ステップと、
前記通信処理ステップで前記状態変化情報を受信すると、設定情報記憶手段に記憶されている、動作処理における設定状態として初期設定されている初期設定情報、及び、前記状態管理装置から通知される前記状態変化情報に応じた設定状態を示す変化状態設定情報と、該状態変化情報とに基づいて、現在の動作設定を変更する設定変更処理ステップと、
前記動作設定に基づいて動作処理を制御する動作制御処理ステップと、
を有し、
前記変化状態設定情報は、少なくとも、動作処理対象のデータへのアクセスを制御するアクセス制御設定情報と、前記機器の利用におけるユーザ認証を制御するユーザ認証制御設定情報とを含み、
前記設定変更処理ステップは、
前記初期設定情報及び前記状態変化情報と、前記アクセス制御設定情報と前記ユーザ認証制御設定情報とのうちの少なくともいずれかとに基づいて、現在のアクセスの制御設定とユーザ認証制御設定とのうちの少なくともいずれかを変更する
ことを特徴とする設定状態管理方法。
【請求項７】
少なくとも端末装置、機器及び状態管理装置がネットワークに接続され、該機器が、該端末装置からのアクセスを受けて各種動作処理を行い、該状態管理装置が、該端末装置を含む該ネットワークの状態変化を検出して、検出された前記状態変化に対応して分類された通知レベルの状態変化情報を、前記機器に通知する情報処理システムであって、
前記機器は、
前記ネットワークを介して前記端末装置及び前記状態管理装置と通信する通信手段と、
動作処理における動作設定として初期設定されている初期設定情報と、前記状態管理装置から通知される前記状態変化情報に応じた動作設定を示す変化状態設定情報とを記憶する設定情報記憶手段と、
前記通信手段が前記状態変化情報を受信すると、前記初期設定情報及び該状態変化情報と、前記変化状態設定情報とに基づいて、現在の動作設定を変更する設定変更手段と、
前記動作設定に基づいて動作処理を制御する動作制御手段と、
を備え、
前記設定情報記憶手段は、
前記変化状態設定情報として、少なくとも、動作処理対象のデータへのアクセスを制御するアクセス制御設定情報と、前記機器の利用におけるユーザ認証を制御するユーザ認証制御設定情報とを記憶し、
前記設定変更手段は、
前記初期設定情報及び前記状態変化情報と、前記アクセス制御設定情報と前記ユーザ認証制御設定情報とのうちの少なくともいずれかとに基づいて、現在のアクセスの制御設定とユーザ認証制御設定とのうちの少なくともいずれかを変更する
ことを特徴とする情報処理システム。
【請求項８】
少なくとも端末装置、機器及び状態管理装置がネットワークに接続され、該機器が、該端末装置からのアクセスを受けて各種動作処理を行い、該状態管理装置が、該端末装置を含む該ネットワークの状態変化を検出して、検出された前記状態変化に対応して分類された通知レベルの状態変化情報を、前記機器に通知する情報処理システムにおける、前記機器に、
前記ネットワークを介して前記端末装置及び前記状態管理装置と通信する手順と、
動作処理における動作設定として初期設定されている初期設定情報と、前記状態管理装置から通知される前記状態変化情報に応じた動作設定を示す変化状態設定情報として、少なくとも、動作処理対象のデータへのアクセスを制御するアクセス制御設定情報と、前記機器の利用におけるユーザ認証を制御するユーザ認証制御設定情報とを記憶する手順と、
前記状態変化情報を受信すると、前記初期設定情報及び該状態変化情報と、前記変化状態設定情報とに基づいて、現在の動作設定を変更する手順であって、前記状態変化情報を受信すると、前記初期設定情報及び該状態変化情報と、前記アクセス制御設定情報と前記ユーザ認証制御設定情報とのうちの少なくともいずれかとに基づいて、現在のアクセスの制御設定とユーザ認証制御設定とのうちの少なくともいずれかを変更する手順と、
前記動作設定に基づいて動作処理を制御する手順と、
を実行させるプログラム。
【発明の詳細な説明】
【技術分野】
【０００１】
本発明は、情報処理システム、画像形成装置、設定状態管理方法及び設定状態管理プログラムに関し、詳細には、ネットワークを利用した状態管理を行う情報処理システム、画像形成装置、設定状態管理方法及び設定状態管理プログラムに関する。
【背景技術】
【０００２】
近年、ネットワーク化が進み、複合装置、ファクシミリ装置、コピー装置、スキャナ装置等の画像処理装置と、コンピュータ等の情報処理装置がＬＡＮ（Local Area Network）等のネットワークで接続されて、利用されるようになってきている。
【０００３】
また、このようなネットワークは、ルータ等を介して、インターネット等の外部の回線に接続されることが多い。
【０００４】
すなわち、このようなネットワークシステムは、ネットワークがインターネット等の外部ネットワークに接続されて外部装置とネットワーク上の画像処理装置や情報処理装置等との間でデータの授受等を行ったりする。また、ネットワークシステムは、ネットワーク上の画像処理装置や情報処理装置に、ＵＳＢ（Universal Serial Bus）等の携帯型メモリ等が挿入されて、データの授受が行われる。
【０００５】
そして、このようなネットワークシステムは、外部ネットワークに接続されている外部装置から、あるいは、携帯型メモリから、意図することなく、あるいは、意図的に、ウィルスがネットワーク上の画像処理装置や情報処理装置に進入することがある。
【０００６】
このようなネットワークシステムにウィルスが侵入すると、ネットワーク上の画像処理装置や情報処理装置のデータの改竄、取り出し、削除等だけでなく、ネットワークシステムへの干渉等も行われるおそれがあり、ネットワークシステムが危険にさらされることになる。
【０００７】
そして、従来、原稿の画像形成に関する処理を行う画像形成装置及びネットワークに接続される画像処理装置であって、前記ネットワークを介して侵入するウィルスを検知するウィルス検知手段と、前記ウィルスを検知した場合に、前記ウィルスが検知されたことを前記画像形成装置に通知するウィルス通知手段と、を備えた画像処理装置が提案されている。また、この従来技術では、前記ウィルス通知手段が、前記ウィルスが検知されたことを用紙に印刷するよう前記画像形成装置に要求、前記ウィルスが検知されたことを所定の送信先にファックス送信するよう前記画像形成装置に要求、前記ウィルスが検知されたことを前記画像形成装置の表示部に表示するよう前記画像形成装置に要求すること、また、前記ウィルスを検知した場合に、前記ネットワークの利用を停止させる停止手段をさらに備えたり、前記画像形成装置側からの前記画像処理装置の処理の実行指示を禁止する禁止手段をさらに備えることが提案されている（特許文献１参照）。
【０００８】
すなわち、上記従来技術の画像処理装置は、ネットワークを介して進入するウィルスを検知して、画像形成装置に通知し、また、画像形成装置に表示等の方法で報知出力させる。また、この画像処理装置は、ネットワークの利用を停止し、画像形成装置から画像処理装置への処理の実行指示を禁止する。
【発明の概要】
【発明が解決しようとする課題】
【０００９】
しかしながら、上記従来技術にあっては、画像処理装置が、ウィルスに感染したことを検知すると、画像形成装置に対しては、その旨の通知、報知出力要求、処理実行指示停止を行うのみであり、ネットワークの状態変化、特に、セキュリティ状態の変化に効果的に対応する上で、改良の必要があった。
【００１０】
そこで、本発明は、ネットワークのセキュリティを含む状態変化に対して、効果的に対応することを目的としている。
【課題を解決するための手段】
【００１１】
上記目的を達成するために、請求項１記載の情報処理システムは、少なくとも端末装置、機器及び状態管理装置がネットワークに接続され、該機器が、該端末装置からのアクセスを受けて各種動作処理を行い、該状態管理装置が、該端末装置を含む該ネットワークの状態変化を検出する情報処理システムであって、前記状態管理装置は、前記ネットワークを介して前記端末装置及び前記機器と通信する通信手段と、前記通信手段を介して前記端末装置を含む前記ネットワークにおける状態変化を検知する検知手段と、前記検知手段によって検知された前記状態変化に対応して分類された通知レベルの状態変化情報を、前記通信手段を介して前記機器に通知する通知手段と、を備え、前記機器は、前記ネットワークを介して前記端末装置及び前記状態管理装置と通信する通信手段と、動作処理における動作設定として初期設定されている初期設定情報と、前記状態管理装置から通知される前記状態変化情報に応じた動作設定を示す変化状態設定情報とを記憶する設定情報記憶手段と、前記通信手段が前記状態変化情報を受信すると、前記初期設定情報及び該状態変化情報と、前記変化状態設定情報とに基づいて、現在の動作設定を変更する設定変更手段と、前記動作設定に基づいて動作処理を制御する動作制御手段と、を備え、前記設定情報記憶手段は、前記変化状態設定情報として、少なくとも、動作処理対象のデータへのアクセスを制御するアクセス制御設定情報と、前記機器の利用におけるユーザ認証を制御するユーザ認証制御設定情報とを記憶し、前記設定変更手段は、前記初期設定情報及び前記状態変化情報と、前記アクセス制御設定情報と前記ユーザ認証制御設定情報とのうちの少なくともいずれかとに基づいて、現在のアクセスの制御設定とユーザ認証制御設定とのうちの少なくともいずれかを変更することを特徴としている。
【発明の効果】
【００１２】
本発明によれば、ネットワークのセキュリティを含む状態変化に対して、効果的に対応することができる。
【図面の簡単な説明】
【００１３】
【図１】本発明の一実施例を適用した画像処理システムの構成図。
【図２】通知レベルと変化状態設定の対応テーブルの一例を示す図。
【図３】画像形成装置のソフトウェア構成図。
【図４】画像形成装置の機能ブロック図。
【図５】状況管理サーバ、プログラムサーバ、クライアント端末及びデータ管理サーバの概略ブロック図。
【図６】状況管理サーバのソフトウェア構成図。
【図７】状況管理サーバの機能ブロック図。
【図８】プログラムサーバのソフトウェア構成図。
【図９】プログラムサーバの保管するプログラムリストの一例を示す図。
【図１０】データ管理サーバのソフトウェア構成図。
【図１１】画像形成装置による基本設定状態管理処理を示すフローチャート。
【図１２】初期化処理を示すフローチャート。
【図１３】図１２の続きの処理を示すフローチャート。
【図１４】初期化設定画面の一例を示す図。
【図１５】動作制御処理を示すフローチャート。
【図１６】状態通知レベル毎の設定処理を示すフローチャート。
【図１７】アクセス発生制御処理を示すフローチャート。
【図１８】画像処理システムにおける基本的な動作処理の説明図。
【図１９】アクセスロック状態での画像処理システムの動作説明図。
【図２０】プログラムダウンロード設定時の画像処理システムの動作説明図。
【図２１】ダウンロードしたプログラムの管理リストの一例を示す図。
【図２２】プログラムダウンロード最速設定時の画像処理システムの動作説明図。
【図２３】状態変化通知不許可設定時における画像処理システムの動作説明図。
【図２４】ネットワークセキュリティ以外の状態変化を含む場合の画像処理システムの基本的な動作説明図。
【図２５】ネットワークＮＷセキュリティ以外の状態変化を含む通知レベルリストの一例を示す図。
【図２６】侵入者通知の場合における画像処理システムの動作説明図。
【図２７】津波通知の場合における画像処理システムの動作説明図。
【図２８】解除通知の場合における画像処理システムの動作説明図。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図２８は、本発明の情報処理システム、画像形成装置、設定状態管理方法及び設定状態管理プログラムの一実施例を示す図であり、図１は、本発明の情報処理システム、画像形成装置、設定状態管理方法及び設定状態管理プログラムの一実施例を適用した画像処理システム１の構成図である。
【００１６】
図１において、画像処理システム（情報処理システム）１は、ＬＡＮ等のネットワークＮＷに、画像形成装置Ｇｋ、状況管理サーバＳｊ、プログラムサーバＳｐ、クライアント端末ＣＬ及びデータ管理サーバＳｄ等が接続されている。
【００１７】
ネットワークＮＷは、ルータＲｔを介してインターネットＩＮに接続されており、インターネットＩＮには、コンピュータ等の情報処理装置、他の画像形成装置等の画像処理装置等の外部装置ＧＴが接続されている。
【００１８】
画像処理システム１は、機器としての画像形成装置Ｇｋが、端末装置としてのクライアント端末ＣＬからのアクセスを受けて各種動作処理を行い、状態管理装置としての状況管理サーバＳｊが、クライアント端末ＣＬを含むネットワークＮＷの状態変化を検出する。
【００１９】
画像形成装置Ｇｋは、複合装置等が用いられており、図１には、１台のみ記載されているが、複数台がネットワークＮＷに接続されていてもよい。画像形成装置Ｇｋは、端末装置としてのクライアント端末ＣＬからのアクセスを受けて機器として各種動作処理を行ない、機器として機能する。
【００２０】
画像形成装置Ｇｋは、クライアント端末ＣＬからの印刷ジョブとともに要求される印刷要求等の動作処理要求に応じて、各種画像処理（印刷処理、スキャナ処理、ファクシミリ処理等）を実行する。
【００２１】
画像形成装置Ｇｋは、制御部１１、操作表示部１２、エンジン部１３、プログラム管理部１４、１次記憶部１５、２次記憶部１６、外部通信部１７及び個人認証部１８等を備えている。
【００２２】
２次記憶部１６は、ハードディスク、ＲＯＭ（Read Only Memory）等で構成されている。２次記憶部１６は、ＯＳ（Operating System）、画像形成装置Ｇｋとしての基本プログラム、本発明の設定状態管理方法のうち画像形成装置Ｇｋが実行すべき部分の設定状態管理プログラム及び必要なシステムデータを記憶する。また、２次記憶部１６は、画像データ、設定関連の情報等の恒久的に保持し続けるデータや情報等の電子文書を記憶する。
【００２３】
特に、２次記憶部１６は、後述する設定状態管理方法におけるアクセスの制限の対象、ダウンロードしたプログラム等を記憶する。２次記憶部１６は、初期設定情報及び図２に示すような対応テーブルＴｂ１を記憶する。
【００２４】
この対応テーブルＴｂ１は、後述する状況管理サーバＳｊから通知される端末装置であるクライアント端末ＣＬの状態変化（セキュリティ状態の変化）のレベル（通知レベル）毎に、該通知レベルに対応する変化状態設定情報が登録されている。
【００２５】
対応テーブルＴｂ１は、セキュリティ通知の場合、図２に示すように、変化状態設定として、アクセスロック、プログラムデータ通知、ロック中ダウンロード、プログラム自動ダウンロード、ダウンロード催促、個人認証レベル引き上げ及び電源オフが登録されている。
【００２６】
対応テーブルＴｂ１は、通知レベル１から通知レベル３及び通知レベル０に対して、動作処理における設定状態として初期設定されている初期設定状態から、上記各変化状態設定のいずれの変化状態設定へ変更するかの設定変更を指定するテーブルである。図２では、対応テーブルＴｂ１は、通知レベル１では、アクセスロックからダウンロード催促までの変化状態設定、通知レベル２では、アクセスロックと個人認証レベル引き上げの変化状態設定、通知レベル３では、電源オフの変化状態設定が登録されている。
【００２７】
そして、対応テーブルＴｂ１は、通知レベル０では、いずれの変化状態設定も登録されておらず、初期設定に戻すこと、あるいは、初期設定を維持することを示している。
【００２８】
なお、上記アクセスロックは、外部からのアクセスを拒否する変化状態設定であり、プログラムデータ通知は、クライアント端末ＣＬからのアクセス時や操作表示部１２での操作時に、状態変化に対応するプログラムを通知する変化状態設定である。このプログラムは、例えば、ウィルス等の状態変化に対応するウィルス対応プログラム（ワクチンプログラム）、ワクチンプログラムのバッチ等である。通知方法は、クライアント端末ＣＬへのプログラム情報の送信、操作表示部１２へのプログラム情報の表示出力、エンジン部１３による用紙Ｐへのプログラム情報の記録出力等である。
【００２９】
ロック中ダウンロードは、外部からのアクセスを拒否しているロック中における状態変化に対応するプログラムのダウンロードを行う変化状態設定である。
【００３０】
プログラム自動ダウンロードは、状態変化に対応するプログラムを自動的にダウンロードする変化状態設定である。
【００３１】
ダウンロード催促は、状態変化に対応するプログラムのダウンロードを促す通知を、アクセスしてきたクライアント端末ＣＬへ送信、操作表示部１２やエンジン部１３を利用して行う変化状態設定である。
【００３２】
個人認証レベル引き上げは、後述する個人認証部１８における個人認証レベルを引き上げる変化状態設定である。例えば、個人認証レベル引き上げは、個人認証を行っていない場合に、個人認証を行うレベルへの引き上げ、ＩＣ(Integrated Circuit）カード認証のみを、パスワード入力をも要求する個人認証レベルの引き上げ等である。
【００３３】
電源オフは、画像形成装置Ｇｋの電源電力の供給を停止（すなわち、自機の電源をオフ）する変化状態設定である。
【００３４】
１次記憶部１５は、ＲＡＭ（Random Access Memory）等で構成されており、制御部１１による画像処理、処理制御のための各種データを時的に記憶する。また、１次記憶部１５は、制御部１１によって、本発明の設定状態管理処理における設定情報、状態変化通知、プログラムデータの一時利用にも利用される。
【００３５】
制御部１１は、ＣＰＵ（Central Processing Unit）等で構成されている。制御部１１は、２次記憶部１６のプログラムに基づいて、１次記憶部１５をワークエリアとして利用しつつ、画像形成装置Ｇｋの各部を制御して、画像形成装置Ｇｋとしての基本処理を実行するとともに、本発明の設定状態管理処理を実行する。
【００３６】
特に、制御部１１は、状況管理サーバＳｊから、ウィルス感知等の状態変化情報の通知を外部通信部１７が受け取ると、変化状態設定として、上述のように、アクセスロック、プログラムデータ通知、ロック中ダウンロード、プログラム自動ダウンロード、ダウンロード催促、個人認証レベル引き上げ及び電源オフの設定変更を行う。
【００３７】
操作表示部１２は、画像形成装置Ｇｋを操作するのに必要な各種キーを備えるとともに、ディスプレイ（例えば、液晶ディスプレイ）やＬＥＤ（Light Emitting Diode）等のランプを備えている。
【００３８】
操作表示部１２は、操作キーから、画像形成装置Ｇｋを利用した各種画像処理や本発明の設定状態管理処理に必要な各種操作が行われ、ディスプレイには、操作キーから入力された命令内容や画像形成装置Ｇｋからユーザに通知する各種情報が表示される。操作表示部１２は、ディスプレイが、タッチパネルを備えたものであってもよく、この場合、各種画像処理モードに応じたソフトキー（機能キー）を表示する。
【００３９】
エンジン部１３は、各種画像処理するプリンタエンジン、スキャナエンジン、ファクシミリエンジン等を総称したものである。
【００４０】
プリンタエンジンは、適宜のプリンタ方式（電子写真方式、インク吐出方式等）で画像データに基づいて用紙、フィルム等の被記録媒体（以下、適宜、用紙という。）に画像を形成（印刷）するという画像処理を行う。
【００４１】
スキャナエンジンは、原稿を主走査及び副走査して、原稿の画像を所定の解像度で読み取って画像データを出力するという画像処理を行う。
【００４２】
ファクシミリエンジンは、相手ファクシミリ装置から送信されてくるファクシミリデータを受信して、プリンタエンジンで該ファクシミリデータに基づいて画像を形成出力する。また、ファクシミリエンジンは、スキャナエンジンの読み取った原稿の画像データを相手ファクシミリ装置にファクシミリ送信する。
【００４３】
外部通信部１７は、ネットワークＮＷに接続され、制御部１１の制御下で、ネットワークＮＷを介して、各種装置と通信を行う。
【００４４】
外部通信部１７は、特に、状況管理サーバＳｊからの状態変化通知をネットワークＮＷを介して受信して、制御部１１へ渡す。
【００４５】
また、外部通信部１７は、制御部１１の制御下で、ネットワークＮＷを介して、プログラムサーバＳｐから各種プログラム、特に、ウィルス等の状態変化に応じたプログラム（ワクチンプログラム、ワクチンプログラムのバッチ等）をダウンロードする。
【００４６】
さらに、外部通信部１７は、クライアント端末ＣＬからのアクセスを受け付けて、印刷ジョブ等のアクセス内容を制御部１１に渡す。
【００４７】
また、外部通信部１７は、制御部１１の制御下で、データ管理サーバＳｄに保管されているデータを取得して、制御部１１に渡す。
【００４８】
個人認証部１８は、画像形成装置Ｇｋを利用するユーザを特定する個人認証情報の認証を行う。例えば、個人認証部１８は、画像形成装置Ｇｋの利用を許可するユーザのパスワード等の個人認証情報を予め記憶しており、操作表示部１２から入力されたパスワードが記憶しているパスワードと一致するか否かによってユーザ認証を行う。
【００４９】
また、個人認証部１８は、ＩＣカード読取部を備えていて、ＩＣカード読取部が読み取ったＩＣカードに記録されている個人認証情報が、予め記憶している個人認証情報と一致するか否かによってユーザ認証する。
【００５０】
画像形成装置Ｇｋは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の設定状態管理方法のうち、画像形成装置Ｇｋが実行すべき設定状態管理方法の部分を実行する設定状態管理プログラムを読み込んで２次記憶部１６等に導入することで、後述するネットワークＮＷのセキュリティ変化を含む状態変化に対して、効果的に対応する設定状態管理方法を実行する機器及び画像形成装置として構築されている。この設定状態管理プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００５１】
そして、画像形成装置Ｇｋは、図３に示すようにソフトウェア構成されている。すなわち、画像形成装置Ｇｋは、ＯＳ２１、サービス層ソフトウェア２２、設定アプリ２３、通信Ｉ／Ｆソフトウェア２４、操作アプリ２５、認証アプリ２６及び管理アプリ２７を搭載している。
【００５２】
ＯＳ２１は、画像形成装置Ｇｋの基本ソフトウェアであり、サービス層ソフトウェア２２は、ＯＳ２１上で動作して、１次記憶部１５、２次記憶部１６を制御するインターフェイスを提供する。
【００５３】
設定アプリ２３は、画像形成装置Ｇｋの機器設定を行うソフトウェアである。設定アプリ２３は、通信Ｉ／Ｆソフトウェア２４を通して状況管理サーバＳｊから受信した通知を元に、ＯＳ２１、サービス層ソフトウェア２２を介して２次記憶部１６を検索して、画像形成装置Ｇｋの設定状態の変更制御を行う。
【００５４】
通信Ｉ／Ｆソフトウェア２４は、外部通信部１７を介して、状況管理サーバＳｊ、プログラムサーバＳｐ、クライアント端末ＣＬ及びデータ管理サーバＳｄと通信を行うインターフェイスを提供するソフトウェアである。
【００５５】
操作アプリ２５は、操作表示部１２を制御するソフトウェアであり、ＯＳ２１、サービス層ソフトウェア２２を通して、画像データの展開、ユーザからの入力操作を処理制御する。
【００５６】
認証アプリ２６は、個人認証部１８を制御するソフトウェアであり、ＯＳ２１、サービス層ソフトウェア２２を通して、個人認証部１８の取得した認証用のデータを処理して、認証処理を行う。
【００５７】
管理アプリ２７は、プログラム管理部１４を制御するソフトウェアであり、ＯＳ２１、サービス層ソフトウェア２２を通じて、通信Ｉ／Ｆソフトウェア２４を介してプログラムサーバＳｐからプログラムをダウンロードする。また、管理アプリ２７は、２次記憶部１６に格納されているプログラムデータを管理する。
【００５８】
そして、画像形成装置Ｇｋは、上記設定状態管理プログラムが導入されることで、図４に示すような機能ブロックが構築される。すなわち、画像形成装置Ｇｋは、設定状態管理プログラムが導入されると、通信機能部３１、設定変更機能部３２、設定情報記憶機能部３３及び動作制御機能部３４等が構築される。
【００５９】
通信機能部３１は、外部通信部１７により構築され、ネットワークＮＷを介してクライアント端末（端末装置）ＣＬ及び状況管理サーバ（状態管理装置）Ｓｊと通信して、通信手段として機能している。
【００６０】
設定情報記憶機能部３３は、２次記憶部１６により構築される。設定情報記憶機能部３３は、動作処理における設定状態として初期設定されている初期設定情報と、状況管理サーバＳｊから通知される状態変化情報に応じた設定状態を示す変化状態設定情報とを記憶して、設定情報記憶手段として機能する。すなわち、設定情報記憶機能部２２は、図２に示した通知レベル０のときの設定状態である画像形成装置Ｇｋの動作処理が可能な初期設定情報を記憶し、さらに、通知レベル１〜３のときの設定である変化状態設定情報を記憶する。また、設定情報記憶機能部３３は、変化状態設定情報として、ウィルスに対応するワクチンプログラムの取得催促動作を示すプログラム取得催促設定情報を記憶する。
【００６１】
設定変更機能部３２は、制御部１１により構築される。設定変更機能部３２は、通信機能部３１が状態変化情報を受信すると、設定情報記憶機能部３３の前記初期設定情報及び該状態変化情報に対応する前記変化状態設定情報に基づいて、現在の動作設定を変更し、設定変更手段として機能する。また、設定変更機能部３２は、アクセスしてくるクライアント端末ＣＬに対して、前記初期設定情報及び前記状態変化情報のウィルス感染情報と設定情報記憶機能部３３の前記変化状態設定情報としての前記プログラム取得催促設定情報に基づいて、画像形成装置Ｇｋの動作設定を、ウィルスに感染している旨及びワクチンプログラムの取得を促す旨の通知を行う動作設定に変更する。
【００６２】
動作制御機能部３４は、制御部１１により構築され、前記動作設定に基づいて画像形成装置の動作処理を制御して、動作制御手段として機能する。
【００６３】
上記状況管理サーバＳｊ、プログラムサーバＳｐ、クライアント端末ＣＬ及びデータ管理サーバＳｄは、コンピュータ等が用いられており、大略、図５に示すようにブロック構成されている。すなわち、状況管理サーバＳｊ、プログラムサーバＳｐ、クライアント端末ＣＬ及びデータ管理サーバＳｄは、図５に示すように、制御部４１、ＵＩ部４２、１次記憶部４３、２次記憶部４４及び外部通信部４５等を備えている。
【００６４】
２次記憶部４４は、ハードディスク等の不揮発性メモリで構成されており、状況管理サーバＳｊ、プログラムサーバＳｐ、クライアント端末ＣＬ及びデータ管理サーバＳｄの基本プログラム及び各種データを記憶する。
【００６５】
１次記憶部４３は、ＲＡＭ等で構成されており、制御部４１のワークメモリとして利用されて、処理データを一時的に記憶する。
【００６６】
制御部４１は、ＣＰＵ等で構成されており、２次記憶部４４のプログラムに基づいて、１次記憶部をワークメモリとして利用して、状況管理サーバＳｊ、プログラムサーバＳｐ、クライアント端末ＣＬ及びデータ管理サーバＳｄの各部を制御する。制御部４１は、状況管理サーバＳｊ、プログラムサーバＳｐ、クライアント端末ＣＬ及びデータ管理サーバＳｄの各部を制御することで、状況管理サーバＳｊ、プログラムサーバＳｐ、クライアント端末ＣＬ及びデータ管理サーバＳｄとしての処理を実行する。
【００６７】
ＵＩ部４２は、キーボード、マウス等の入力デバイス及びディスプレイ等の出力デバイスを備えており、状況管理サーバＳｊ、プログラムサーバＳｐ、クライアント端末ＣＬ及びデータ管理サーバＳｄへのデータの入力処理及び出力処理を行う。
【００６８】
外部通信部４５は、ネットワークＮＷに接続され、制御部４１の制御下で、ネットワークＮＷを介して、他の機器、特に、画像形成装置Ｇｋと通信する。
【００６９】
状況管理サーバＳｊは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＵＳＢメモリ、ＳＤカード、ＭＯ等のコンピュータが読み取り可能な記録媒体に記録されている本発明の設定状態管理方法のうち、状況管理サーバＳｊが実行すべき設定状態管理方法の部分を実行する設定状態管理プログラムを読み込んで２次記憶部４４等に導入することで、後述するネットワークＮＷのセキュリティを含む状態変化に対して、効果的に対応する設定状態管理方法を実行する状態管理装置として構築されている。この設定状態管理プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００７０】
状況管理サーバＳｊは、図６に示すようにソフトウェア構成されており、ＯＳ５１、サービス層ソフトウェア５２、通信Ｉ／Ｆソフトウェア５３、ＵＩアプリ５４及び異常検知アプリ５５等を搭載している。
【００７１】
ＯＳ５１は、状況管理サーバＳｊの基本ソフトウェアであり、サービス層ソフトウェア５２は、ＯＳ５１上で動作して、１次記憶部４３、２次記憶部４４を制御するインターフェイスを提供する。
【００７２】
通信Ｉ／Ｆソフトウェア５３は、外部通信部４５を介して、機器、特に、クライアント端末ＣＬ及び画像形成装置Ｇｋと通信を行うインターフェイスを提供するソフトウェアである。
【００７３】
ＵＩアプリ５４は、ＵＩ部４２を制御するソフトウェアであり、ＯＳ５１、サービス層ソフトウェア５２を通して、データの処理、ユーザからの入力操作を処理制御する。
【００７４】
異常検知アプリ５５は、ネットワークＮＷ上の状態変化、特に、クライアント端末ＣＬ等の外部機器の状態変化（異常状態の有無等）を、通信Ｉ／Ｆ５３を介して検知し、検知結果を画像形成装置Ｇｋに通知する。異常検知アプリ５５は、状態変化として、特に、クライアント端末ＣＬのウィルス感染等のセキュリティ状態の変化を検知し、検知結果を画像形成装置Ｇｋに通知する。
【００７５】
そして、状況管理サーバＳｊは、上記設定状態管理プログラムが導入されることで、図７に示すような機能ブロックが構築される。すなわち、状況管理サーバＳｊは、設定状態管理プログラムが導入されることで、通信機能部６１、検知機能部６２及び通知機能部６３等が構築される。
【００７６】
通信機能部６１は、外部通信部４５により構築される。通信機能部６１は、ネットワークＮＷを介して端末装置であるクライアント端末ＣＬ及び機器である画像形成装置Ｇｋと通信して、通信手段として機能する。
【００７７】
検知機能部６２は、制御部４１等により構築される。検知機能部６２は、通信機能部６１を介してクライアント端末ＣＬのセキュリティ状態の変化（状態変化）を検知し、検知手段として機能する。
【００７８】
通知機能部６３は、制御部４１等により構築され、通信機能部６１を介して前記状態変化情報を画像形成装置Ｇｋに通知して、通知手段として機能する。
【００７９】
この通知機能部６３は、例えば、検知機能部６２が検知した状態変化の程度、例えば、ウィルスの脅威の程度に応じて通知レベルを、例えば、上記通知レベル０〜３にレベル分けして、画像形成装置Ｇｋに通知する。
【００８０】
上記プログラムサーバＳｐは、図８に示すようにソフトウェア構成されており、ＯＳ７１、サービス層ソフトウェア７２、通信Ｉ／Ｆソフトウェア７３、ＵＩアプリ７４及びプログラム管理アプリ７５等を搭載している。
【００８１】
ＯＳ７１は、プログラムサーバＳｐの基本ソフトウェアであり、サービス層ソフトウェア７２は、ＯＳ７１上で動作して、１次記憶部４３、２次記憶部４４を制御するインターフェイスを提供する。
【００８２】
通信Ｉ／Ｆソフトウェア７３は、外部通信部４５を介して、機器、特に、クライアント端末ＣＬ及び画像形成装置Ｇｋと通信を行うインターフェイスを提供するソフトウェアである。
【００８３】
ＵＩアプリ７４は、ＵＩ部４２を制御するソフトウェアであり、ＯＳ７１、サービス層ソフトウェア７２を通して、データの処理、ユーザからの入力操作を処理制御する。
【００８４】
プログラム管理アプリ７５は、ネットワークＮＷ上の外部機器、特に、クライアント端末ＣＬ、画像形成装置Ｇｋからのプログラム要求（状態変化通知）を確認し、状態変化通知を伴うプログラム要求があると、必要なプログラムを外部装置からダウンロードする。プログラム管理アプリ７５は、ダウンロードしたプログラムを管理し、クライアント端末ＣＬ、画像形成装置Ｇｋからの要求に応じて、該プログラムを通信Ｉ／Ｆソフトウェア７３を介して提供する。
【００８５】
例えば、プログラム管理アプリ７５は、図９に示すようなプログラムリストＬｔ１を備えている。このプログラムリストＬｔ１は、図９に示すように、状態変化通知毎に、該状態変化通知に対応するプログラム名が登録されており、例えば、通知Ａに対して、プログラムＡが登録されている。
【００８６】
プログラム管理アプリ７５は、状態変化通知として、例えば、通知Ａがあると、プログラムＡを、該プログラムＡの提供元からダウンロードして保管し、クライアント端末ＣＬ、画像形成装置Ｇｋからの要求に応じて、該プログラムを提供する。
【００８７】
そして、上記データ管理サーバＳｄは、図１０に示すようにソフトウェア構成されており、ＯＳ８１、サービス層ソフトウェア８２、通信Ｉ／Ｆソフトウェア８３、ＵＩアプリ８４及びデータ管理アプリ８５等を搭載している。
【００８８】
ＯＳ８１は、データ管理サーバＳｄの基本ソフトウェアであり、サービス層ソフトウェア８２は、ＯＳ８１上で動作して、１次記憶部４３、２次記憶部４４を制御するインターフェイスを提供する。
【００８９】
通信Ｉ／Ｆソフトウェア８３は、外部通信部４５を介して、機器、特に、クライアント端末ＣＬ、画像形成装置Ｇｋと通信を行うインターフェイスを提供するソフトウェアである。
【００９０】
ＵＩアプリ８４は、ＵＩ部４２を制御するソフトウェアであり、ＯＳ８１、サービス層ソフトウェア８２を通して、データの処理、ユーザからの入力操作を処理制御する。
【００９１】
データ管理アプリ８５は、ネットワークＮＷ上の外部機器、特に、クライアント端末ＣＬ、画像形成装置Ｇｋから通信Ｉ／Ｆソフトウェア８３を介してデータ要求があると、データのダウンロード、要求されたデータの提供を行う。
【００９２】
次に、本実施例の作用を説明する。本実施例の画像処理システム１は、ネットワークＮＷのセキュリティを含む状態変化に対して、効果的に対応する。
【００９３】
すなわち、画像処理システム１は、ネットワークＮＷに、画像形成装置Ｇｋ、状況管理サーバＳｊ、プログラムサーバＳｐ、クライアント端末ＣＬ及びデータ管理サーバＳｄ等が接続されている。状況管理サーバＳｊは、ネットワークＮＷ上の各端末、特に、クライアント端末ＣＬのセキュリティを含む状態変化を監視して、状態変化があると、例えば、ウィルスに感染すると、その旨の状態変化通知を画像形成装置Ｇｋに行う。そして、画像形成装置Ｇｋは、この状態変化に対して、画像形成装置Ｇｋの動作設定を、該状態変化に応じた動作設定に変更して、効果的に対応する。
【００９４】
まず、画像形成装置Ｇｋにおける基本設定状態管理処理について、図１１に基づいて説明する。
【００９５】
画像形成装置Ｇｋは、制御部１１が、図１１に示すように、まず、初期化処理を行う（ステップＳ１０１）。この初期化処理は、設定状態管理処理における設定状態の各種初期設定を行う処理であり、詳細については、後述する。
【００９６】
次に、制御部１１は、初期化処理に応じた動作制御処理を行ない（ステップＳ１０２）、また、初期化処理に応じたアクセス時制御処理を行う（ステップＳ１０３）。この動作制御処理は、状況管理サーバＳｊから状態変化通知があったときに、初期化処理での設定に応じて、画像形成装置Ｇｋとして行う動作の制御処理である。アクセス時制御処理は、クライアント端末ＣＬからアクセスがあったときに、画像形成装置Ｇｋとして行う動作制御処理である。
【００９７】
そして、画像形成装置Ｇｋは、上記初期化処理を、図１２及び図１３に示すように実行する。
【００９８】
なお、この初期化処理においては、画像形成装置Ｇｋは、例えば、図１４に示すような初期化設定画面Ｇ１を、画像形成装置Ｇｋの操作表示部１２のディスプレイへ表示することで、ユーザや管理者が初期化設定を行えるようにする。
【００９９】
図１４において、「見守り設定」は、「する」が選択されることで、状況管理サーバＳｊからの状態変化通知を受信する設定となり、「しない」が選択されることで、状況管理サーバＳｊからの状態変化通知を受信しない設定となる。
【０１００】
状況管理サーバＳｊからの状態変化通知に対する初期化設定は、図１４では、レベル１からレベル３までのレベル毎に、各設定項目の設定を行っている。設定項目としては、電源オフ（ＯＦＦ）、アクセスロック、ロック中ダウンロードの許可、プログラムダウンロード設定、プログラムデータ通知、ダウンロード催促通知及び個人認証レベル引き上げの各項目が示されているが、これらに限るものではない。なお、通知レベル０は、現在の設定が初期設定であると、現在の設定を維持し、現在の設定が変更した設定であると、変更後の設定を解除して、初期設定に戻す通知レベルである。
【０１０１】
すなわち、制御部１１は、初期化処理に入ると、図１２に示すように、まず、状況管理サーバＳｊからの状態変化通知を受け付ける設定が選択されたかチェックする（ステップＳ２０１）。
【０１０２】
ステップＳ２０１で、状態変化通知を受け付けない設定が選択されると（ステップＳ２０１で、ＮＯのとき）、制御部１１は、以下の設定処理を行う必要がないと判断して、図１３に示すように、そのまま初期化処理を終了する。
【０１０３】
ステップＳ２０１で、状態変化通知を受け付ける設定が選択されると（ステップＳ２０１で、ＹＥＳのとき）、制御部１１は、状態変化通知を受け付ける設定にして（ステップＳ２０２）、電源を落とす（電源オフ）設定が選択されたかチェックする（ステップＳ２０３）。この電源を落とす設定は、そのレベルの状態変化通知が状況管理サーバＳｊからあったときに、画像形成装置Ｇｋの電源をオフ（ＯＦＦ）にする設定である。
【０１０４】
ステップＳ２０３で、電源を落とす設定が選択されると（ステップＳ２０３で、ＹＥＳのとき）、制御部１１は、電源を落とす設定を初期設定に追加し（ステップＳ２０４）、アクセスロックを行う設定が選択されたかチェックする（ステップＳ２０５）。
【０１０５】
ステップＳ２０３で、電源を落とす設定が選択されないときには（ステップＳ２０３で、ＮＯのとき）、制御部１１は、電源を落とす設定を行うことなく、アクセスロックを行う設定が選択されたかチェックする（ステップＳ２０５）。このアクセスロックの設定は、他の機器であるクライアント端末ＣＬ等からのアクセスをロック（拒否）する設定である。
【０１０６】
ステップＳ２０５で、アクセスロックする設定が選択されると（ステップＳ２０５で、ＹＥＳのとき）、制御部１１は、アクセスロック中でもプログラムダウンロードを行う設定が選択されたかチェクする（ステップＳ２０６）。このプログラムダウンロードの設定は、状態変化通知に対応するプログラム、例えば、ウィルス感染通知に対して、該ウィルスに対応するワクチンプログラム等のプログラムをダウンロードする設定である。
【０１０７】
ステップＳ２０６で、アクセスロック中プログラムダウンロードが選択されると（ステップＳ２０６で、ＹＥＳのとき）、制御部１１は、アクセスロック中でもダウンロードを行う設定を追加する。制御部１１は、図１３に示すように、外部からプログラムのダウンロードを行うかチェックする（ステップＳ２０８）。
【０１０８】
ステップＳ２０８で、外部からプログラムのダウンロードを行わないが選択されると（ステップＳ２０８で、ＮＯのとき）、制御部１１は、プログラムのダウンロードを行わない設定を初期設定に追加する（ステップＳ２０９）。
【０１０９】
ステップＳ２０８で、外部からプログラムのダウンロードを自動で行うときには（ステップＳ２０８で、自動のとき）、制御部１１は、プログラムのダウンロードを自動で行う設定を初期設定に追加する（ステップＳ２１０）。
【０１１０】
ステップＳ２０８で、外部からプログラムのダウンロードを手動で行うときには（ステップＳ２０８で、手動のとき）、制御部１１は、プログラムのダウンロードを手動で行うを初期設定に追加する（ステップＳ２１１）。制御部１１は、手動ダウンロード設定を行うと、ユーザが指定する任意のプログラムを外部のプログラムを提供する装置からダウンロードして、２次記憶部１６へ保管する（ステップＳ２１２）。
【０１１１】
制御部１１は、プログラムのダウンロードの設定を行うと、状態変化通知に応じたプログラムに関するデータの通知を行うかチェックする（ステップＳ２１３）。
【０１１２】
ステップＳ２１３で、プログラムデータの通知を行うが選択されると（ステップＳ２１３で、ＹＥＳのとき）、制御部１１は、プログラムデータの通知を行う設定を初期設定に追加する（ステップＳ２１４）。制御部１１は、ダウンロード促しの通知を行うかチェックする（ステップＳ２１５）。
【０１１３】
ステップＳ２１３で、プログラムデータの通知を行わないが選択されると（ステップＳ２１３で、ＮＯのとき）、制御部１１は、プログラムデータの通知設定を行うことなく、ダウンロード促しの通知を行うかチェックする（ステップＳ２１５）。このダウンロード促しの通知は、状態変化通知に応じたプログラムのダウンロードを促す通知の画像形成装置Ｇｋの操作表示部１２のディスプレイへの表示、エンジン部１３での用紙への記録出力、クライアント端末ＣＬへのその旨のメッセージの送信等である。
【０１１４】
ステップＳ２１５で、ダウンロード促しの通知を行うが選択されると（ステップＳ２１５で、ＹＥＳのとき）、ダウンロード促しの通知を行う設定を初期設定に追加し（ステップＳ２１１）、個人認証レベルの引き上げを行うかチェックする（ステップＳ２１７）。
【０１１５】
ステップＳ２１５で、ダウンロード促しの通知を行わないが選択されると（ステップＳ２１５で、ＮＯのとき）、ダウンロード促しの通知を行う設定の初期設定への追加を行うことなく、個人認証レベルの引き上げを行うかチェックする（ステップＳ２１７）。この個人認証レベルの引き上げは、例えば、個人認証が設定されていないときには、個人認証を必須とし、また、ＩＣカード認証が基本の認証となっているときには、操作表示部１２でのパスワード入力をも要求する等の個人認証の要求レベルの引き上げを意味する。
【０１１６】
ステップＳ２１７で、個人認証レベルの引き上げが選択されると（ステップＳ２１７で、ＹＥＳのとき）、制御部１１は、個人認証レベルの引き上げを行う設定を初期設定に追加して、初期化処理を終了する（ステップＳ２１８）。
【０１１７】
ステップＳ２１７で、個人認証レベルの引き上げが選択されないと（ステップＳ２１７で、ＮＯのとき）、制御部１１は、個人認証レベルの引き上げを行う設定を初期設定に追加することなく、初期化処理を終了する。
【０１１８】
そして、制御部１１は、初期化処理が完了して初期設定に対する状態変化通知に対応する追加設定等が行われている状態で、図１５に示すように動作制御処理を行う。
【０１１９】
すなわち、制御部１１は、画像形成装置Ｇｋの電源がオンされる等の起動状態になると、まず、状態管理の設定状態を取得して、状況管理サーバＳｊからの状態変化通知を受け取る設定であるかチェックする（ステップＳ３０１）。
【０１２０】
ステップＳ３０１で、状態変化通知を受け取る設定でないとき（ステップＳ３０１で、ＮＯのとき）、制御部１１は、動作制御処理を行う必要がないと判断して、そのまま、処理を終了する。
【０１２１】
ステップＳ３０１で、状態変化通知を受け取る設定であると（ステップＳ３０１で、ＹＥＳのとき）、制御部１１は、外部機器である状況管理サーバＳｊから状態変化の通知を受け取ったかチェックする（ステップＳ３０２）。
【０１２２】
ステップＳ３０２で、状況管理サーバＳｊから状態変化の通知を受け取っていないと（ステップＳ３０２で、ＮＯのとき）、制御部１１は、所定時間後に、再度、状態変化通知を受け取ったかチェクする（ステップＳ３０２）。すなわち、制御部１１は、所定時間毎に、状況管理サーバＳｊからの状態変化通知の有無をチェックする。
【０１２３】
ステップＳ３０２で、状況管理サーバＳｊから状態変化の通知を受け取ると（ステップＳ３０２で、ＹＥＳのとき）、制御部１１は、状態通知レベルが通知レベル１〜３のいずれかであるかチェックする（ステップＳ３０３）。
【０１２４】
ステップＳ３０３で、状態通知レベルが通知レベル１〜３のいずれかであると（ステップＳ３０３で、ＹＥＳのとき）、制御部１１は、状態通知レベル毎の設定処理を行なう（ステップＳ３０４）。制御部１１は、ステップＳ３０２に戻って、上記同様に処理する（ステップＳ３０２〜Ｓ３０４）。
【０１２５】
ステップＳ３０３で、状態通知レベルが通知レベル１〜３でないとき、すなわち、通知レベル０のとき（ステップＳ３０３で、ＮＯのとき）、制御部１１は、設定の変更（制限処理）を解除する（ステップＳ３０５）。制御部１１は、ステップＳ３０２に戻って、上記同様に処理する（ステップＳ３０２〜Ｓ３０５）。
【０１２６】
そして、制御部１１は、上記ステップＳ３０４の状態通知レベル毎の設定処理を、図１６に示すように実行する。
【０１２７】
すなわち、制御部１１は、まず、アクセスロックを行うかチェックする（ステップＳ４０１）。制御部１１は、このアクセスロックにおいては、クライアント端末ＣＬから画像形成装置Ｇｋへのアクセスだけでなく、画像形成装置Ｇｋを通して、データ管理サーバＳｄへのアクセスも含むアクセスをロックする。
【０１２８】
ステップＳ４０１で、アクセスロックを行うとき（ステップＳ４０１で、ＹＥＳのとき）、制御部１１は、アクセスロック設定に変え（ステップＳ４０２）、個人認証レベルの引き上げを行うかチェックする（ステップＳ４０３）。
【０１２９】
ステップＳ４０１で、アクセスロックを行わないとき（ステップＳ４０１で、ＮＯのとき）、制御部１１は、アクセスロック設定に変えることなく、個人認証レベルの引き上げを行うかチェックする（ステップＳ４０３）。
【０１３０】
ステップＳ４０３で、個人認証レベルの引き上げを行うとき（ステップＳ４０３で、ＹＥＳのとき）、制御部１１は、個人認証レベルを引き上げ（ステップＳ４０４）、外部からプログラムのダウンロードを行うかチェックする（ステップＳ４０５）。すなわち、制御部１１は、プログラムを、プログラムサーバＳｐからダウンロードするかチェックする。
【０１３１】
ステップＳ４０５で、外部からプログラムのダウンロードを行うとき（ステップＳ４０５で、ＹＥＳのとき）、制御部１１は、プログラムをダウンロードし（ステップＳ４０６）、プログラムデータの通知を行うかチェックする（ステップＳ４０７）。
【０１３２】
ステップＳ４０５で、外部からプログラムのダウンロードを行わないとき（ステップＳ４０５で、ＮＯのとき）、制御部１１は、プログラムデータのダウンロードを行うことなく、プログラムデータの通知を行うかチェックする（ステップＳ４０７）。
【０１３３】
ステップＳ４０７で、プログラムデータの通知を行うとき（ステップＳ４０７で、ＹＥＳのとき）、制御部１１は、プログラムデータを通知する設定に変更して（ステップＳ４０８）、ダウンロード促しの通知を行うかチェックする（ステップＳ４０８）。
【０１３４】
ステップＳ４０７で、プログラムデータの通知を行わないとき（ステップＳ４０７で、ＮＯのとき）、制御部１１は、プログラムデータの通知を行う設定に変更することなく、ダウンロード促しの通知を行うかチェックする（ステップＳ４０９）。
【０１３５】
ステップＳ４０９で、ダウンロード促しの通知を行うとき（ステップＳ４０９で、ＹＥＳのとき）、制御部１１は、ダウンロード促しの通知を行う設定に変更して（ステップＳ４１０）、電源を落とすかチェックする（ステップＳ４１１）。
【０１３６】
ステップＳ４０９で、ダウンロード促しの通知を行わないとき（ステップＳ４０９で、ＮＯのとき）、制御部１１は、ダウンロード促しの設定を変更することなく、電源を落とすかチェックする（ステップＳ４１１）。
【０１３７】
ステップＳ４１１で、電源を落とすとき（ステップＳ４１１で、ＹＥＳのとき）、制御部１１は、画像形成装置Ｇｋの電源を落とし（ステップＳ４１２）、状態通知レベル毎の設定処理を終了する。
【０１３８】
ステップＳ４１２で、電源を落とさないとき（ステップＳ４１１で、ＮＯのとき）、制御部１１は、画像形成装置Ｇｋの電源を落とすことなく、状態通知レベル毎の設定処理を終了する。
【０１３９】
そして、制御部１１は、図１１のアクセス発生制御処理を、図１７に示すように実行する。
【０１４０】
すなわち、制御部１１は、状態変化通知を受け取っているかチェックし（ステップＳ５０１）、受け取っていないときには（ステップＳ５０１で、ＮＯのとき）、アクセス発生制御処理を行う必要がないとして、処理を終了する。
【０１４１】
ステップＳ５０１で、状態変化通知を受け取っていると（ステップＳ５０１で、ＹＥＳのとき）、状態通知レベルが通知レベル１〜３のいずれかであるかチェックする（ステップＳ５０２）。
【０１４２】
ステップＳ５０２で、状態通知レベルが通知レベル１〜３以外、すなわち、通知レベル０であると、そのまま処理を週領する。
【０１４３】
ステップＳ５０２で、通知レベル１〜３のいずれかであると（ステップＳ５０２で、ＹＥＳのとき）、状態変化通知に該当するプログラムデータが有るかチェックする（ステップＳ５０３）。
【０１４４】
ステップＳ５０３で、状態変化通知に該当するプログラムデータがあると（ステップＳ５０３で、ＹＥＳのとき）、制御部１１は、該当するプログラムを選択し（ステップＳ５０４）、プログラムデータの通知を行うかチェックする（ステップＳ５０５）。
【０１４５】
ステップＳ５０３で、状態変化通知に該当するプログラムデータがないと（ステップＳ５０３で、ＮＯのとき）、制御部１１は、外部、すなわち、プログラムサーバＳｐからプログラムのダウンロードを行うかチェックする（ステップＳ５０６）。
【０１４６】
ステップＳ５０６で、プログラムサーバＳｐからプログラムのダウンロードを行うとき（ステップＳ５０６で、ＹＥＳのとき）、制御部１１は、該当するプログラムをダウンロードする（ステップＳ５０７）。制御部１１は、プログラムをダウンロードすると、プログラムデータの通知を行うかチェックする（ステップＳ５０５）。
【０１４７】
ステップＳ５０６で、プログラムサーバＳｐからプログラムのダウンロードを行わないとき（ステップＳ５０６で、ＮＯのとき）、制御部１１は、プログラムデータの通知を行うかチェックする（ステップＳ５０５）。
【０１４８】
ステップＳ５０５で、プログラムデータの通知を行うときには（ステップＳ５０５で、ＹＥＳのとき）、制御部１１は、プログラムデータの通知を行う（ステップＳ５０６）。制御部１１は、プログラムデータの通知を行うと、外部、すなわち、クライアント端末ＣＬからアクセスが発生したかチェックする（ステップＳ５０７）。
【０１４９】
ステップＳ５０５で、プログラムデータの通知を行わないときには（ステップＳ５０５で、ＮＯのとき）、制御部１１は、プログラムデータの通知を行うことなく、クライアント端末ＣＬからアクセスが発生したかチェックする（ステップＳ５０７）。
【０１５０】
ステップＳ５０７で、クライアント端末ＣＬからアクセスが発生していると（ステップＳ５０７で、ＹＥＳのとき）、制御部１１は、ダウンロード促し通知が設定されているかチェックする（ステップＳ５０８）。
【０１５１】
ステップＳ５０８で、ダウンロード促し通知が設定されていると（ステップＳ５０８で、ＹＥＳのとき）、制御部１１は、ダウンロード促しの通知を行い、アクセス発生制御処理を終了する（ステップＳ５０９）。
【０１５２】
ステップＳ５０８で、ダウンロード促しの通知が設定されていないと（ステップＳ５０８で、ＮＯのとき）、制御部１１は、ダウンロード促しの通知を行うことなく、アクセス発生制御処理を終了する。
【０１５３】
ステップＳ５０７で、クライアント端末ＣＬからアクセスが発生していないと（ステップＳ５０７で、ＮＯのとき）、制御部１１は、操作表示部１２からアクセスが発生しているかチェックする（ステップＳ５１０）。
【０１５４】
ステップＳ５１０で、操作表示部１２からアクセスが発生していると（ステップＳ５１０で、ＹＥＳのとき）、制御部１１は、プログラムデータを操作表示部１２のディスプレイに表示して、アクセス発生制御処理を終了する（ステップＳ５１１）。
【０１５５】
ステップＳ５１０で、操作表示部１２からアクセスが発生していないと（ステップＳ５１０で、ＮＯのとき）、制御部１１は、そのままアクセス発生制御処理を終了する。
【０１５６】
すなわち、画像処理システム１は、図１８に示すように、状況管理サーバＳｊが、ネットワークＮＷ上の各端末、特に、クライアント端末ＣＬのセキュリティを含む状態変化を監視する。状況管理サーバＳｊは、状態変化があると、例えば、ウィルスに感染すると、その旨の状態変化通知とその状態通知レベル（通知レベル１〜３）の通知を画像形成装置Ｇｋに行う（Ｓ１）。
【０１５７】
そして、画像形成装置Ｇｋは、この状態変化に対して、該状態変化に応じて、予め選択されている動作設定を画像形成装置Ｇｋに反映する（Ｓ２）。
【０１５８】
また、画像形成装置Ｇｋは、初期化処理での設定に応じて、プログラムサーバＳｐに対して、状態変化に対応するプログラム（ウィルスワクチン等）の検索を行い（Ｓ３）、該プログラムをダウンロードする（Ｓ４）。
【０１５９】
また、画像処理システム１は、図１９に示すように、画像形成装置Ｇｋが、初期化処理でアクセスロック設定されている状態において、状況管理サーバＳｊからウィルス検知の状態変化通知があると、ユーザによるクライアント端末ＣＬからのアクセスをロックする。画像形成装置Ｇｋは、この場合、自装置のデータへのクライアント端末ＣＬによるアクセスをロックするだけでなく、他の端末、例えば、データ管理サーバＳｄにロック要求を行って、データ管理サーバＳｄのデータへのアクセスをもロックさせる。
【０１６０】
さらに、画像処理システム１は、画像形成装置Ｇｋに初期化処理でプログラムダウンロード通知が設定されている状態で、状況管理サーバＳｊが、図２０に示すように、ウィルスを検知すると、ウィルス検知の状態変化通知を、画像形成装置Ｇｋに行う（Ｓ１）。なお、図２０では、図１７と同様の処理には、同一の処理ナンバを付与している。
【０１６１】
画像形成装置Ｇｋは、この状態変化に対して、該状態変化に応じて、予め選択されている動作設定を画像形成装置Ｇｋに反映する（Ｓ２）。
【０１６２】
また、画像形成装置Ｇｋは、初期化処理での設定に応じて、プログラムサーバＳｐに対して、状態変化に対応するプログラム（ウィルスワクチン等）の検索を行い（Ｓ３）、該プログラムをダウンロードする（Ｓ４）。
【０１６３】
そして、画像形成装置Ｇｋは、ダウンロードしたプログラムを、例えば、図２１に示すようなプログラム管理リストＬｐとして２次記憶部１６に保管管理する。このプログラム管理リストＬｐは、通知名に対応させて、プログラム名、ダウンロード履歴及び通知履歴を記憶している。
【０１６４】
画像形成装置Ｇｋは、その後、クライアント端末ＣＬからアクセスがあると（Ｓ５）、プログラムをダウンロード通知を行い、クライアント端末ＣＬのディスプレイに、「プログラムダウンロードして下さい」等の表示を行わせて、ユーザに通知させる（Ｓ６）。
【０１６５】
画像形成装置Ｇｋは、プログラムダウンロード通知を行うと、図２１のプログラム管理リストＬｐの通知履歴に、通知時刻を登録する。
【０１６６】
また、画像処理システム１は、画像形成装置Ｇｋに初期化処理でプログラムダウンロード催促が設定されている状態で、状況管理サーバＳｊが、図２２に示すように、ウィルスを検知すると、ウィルス検知の状態変化通知を、画像形成装置Ｇｋに行う（Ｓ１）。なお、図２１では、図１７と同様の処理には、同一の処理ナンバを付与している。
【０１６７】
画像形成装置Ｇｋは、この状態変化に対して、該状態変化に応じて、予め選択されている動作設定を画像形成装置Ｇｋに反映する（Ｓ２）。
【０１６８】
また、画像形成装置Ｇｋは、初期化処理での設定に応じて、プログラムサーバＳｐに対して、状態変化に対応するプログラム（ウィルスワクチン等）の検索を行い（Ｓ３）、該プログラムをダウンロードする（Ｓ４）。
【０１６９】
そして、画像形成装置Ｇｋは、ダウンロードしたプログラムを、図２１に示したようなプログラム管理リストＬｐとして２次記憶部１６に保管管理する。
【０１７０】
画像形成装置Ｇｋは、その後、クライアント端末ＣＬからアクセスがあると（Ｓ５）、プログラムダウンロード催促通知を行い、クライアント端末ＣＬのディスプレイに、「プログラムをダウンロードして下さい」とダウロードボタン等の表示を行わせる（Ｓ７）。この表示では、プログラムのダウンロード以外の操作ができないような表示を行う等によって、ユーザによるプログラムのダウンロードを催促する。
【０１７１】
さらに、画像処理システム１は、上述のように、状況管理サーバＳｊからウィルス検知等の状態変化通知が画像形成装置Ｇｋにあると、画像形成装置Ｇｋは、初期化処理で状態変化通知の受信許可設定にされていると、該状態変化通知を受信する。画像形成装置Ｇｋは、受信した状態変化通知に応じて、初期化処理で選択されている動作設定とアクセス対応を行う。
【０１７２】
ところが、画像形成装置Ｇｋは、初期化処理で状態変化通知の受信不許可設定が行われていると、図２３に示すように、状況管理サーバＳｊからのウィルス検知等の状態変化通知の受信を拒否する。したがって、画像形成装置Ｇｋは、状態変化通知に応じた設定の反映を行うことがない。
【０１７３】
なお、上記説明においては、ネットワークＮＷにおける状態変化として、ウィルス検知等のネットワークセキュリティ状態の変化を取り上げて説明したが、ネットワークＮＷにおける状態変化としては、ウィルス等によるセキュリティ状態変化に限るものではない。
【０１７４】
例えば、図２４に示すように、画像処理システム１は、状況管理サーバＳｊが、ウィルス等のセキュリティ状態の変化の検知、ネットワークＮＷの設置環境への外部からの侵入者の検知、ネットワークＮＷの環境へ影響する津波（地震等を含む災害）の発生有無の検知、上記状態変化の解除の検知を行う。そして、状況管理サーバＳｊは、上記状態変化を検知すると、通知レベル１として、ウィルス検知、通知レベル２として、侵入者警報、通知レベル３として、津波警報を画像形成装置Ｇｋに状態変化通知する。また、状況管理サーバＳｊは、上記検知した状態変化が解消されたことを検知すると、通知レベル０を画像形成装置Ｇｋに状態変化通知する（Ｓ１１）。
【０１７５】
すなわち、状況管理サーバＳｊは、例えば、図２５に示すように、通常状態と通知レベルを対応させた通知レベルリストＴＬを記憶しており、検知した状態変化に応じた通知と通知レベル０〜３を、画像形成装置Ｇｋに通知する。
【０１７６】
画像形成装置Ｇｋは、状況管理サーバＳｊから状態変化通知があると、現在の画像形成装置Ｇｋの設定を、該状態変化通知の通知レベル１〜３、または、通知レベル０に合わせて予め選択されている設定に変化して、その設定を反映させる（Ｓ１２）。
【０１７７】
また、画像形成装置Ｇｋは、初期化処理での設定に応じて、プログラムサーバＳｐに対して、状態変化に対応するプログラム（ウィルスワクチン等）の検索を行い（Ｓ１３）、該プログラムをダウンロードする（Ｓ１４）。
【０１７８】
そして、画像形成装置Ｇｋは、ダウンロードしたプログラムを、図２１に示したようなプログラム管理リストＬｐとして２次記憶部１６に保管管理する。
【０１７９】
画像形成装置Ｇｋは、その後、クライアント端末ＣＬからアクセスがあると（Ｓ１５）、アクセスをブロックし、また、画像形成装置Ｇｋを介したデータ管理サーバＳｄへのアクセスもブロックする（Ｓ１６）。
【０１８０】
また、画像形成装置Ｇｋは、クライアント端末ＣＬからアクセスがあると、プログラムダウンロード通知やプログラムダウンロード催促通知を行い、クライアント端末ＣＬのディスプレイに、「プログラムをダウンロードして下さい」等の表示を行わせる。
【０１８１】
例えば、図２６に示すように、状況管理サーバＳｊは、不審者の侵入を検知すると、不審者の侵入警報の通知として、通知レベル２の状態変化通知を画像形成装置Ｇｋに対して行う（Ｓ２１）。
【０１８２】
画像形成装置Ｇｋは、初期化処理で通知レベル２に対して予め選択されている設定を画像形成装置Ｇｋに反映させる（Ｓ２２）。
【０１８３】
この通知レベル２に対する動作設定として、例えば、個人認証レベルの引き上げ等が設定されていると、画像形成装置Ｇｋは、個人認証レベルの引き上げを行う（Ｓ２３）。
【０１８４】
さらに、例えば、図２７に示すように、状況管理サーバＳｊは、ネットワークＮＷの環境に影響する津波や地震等の災害の発生を検知すると、津波警報や地震警報等の災害の通知として、通知レベル３の状態変化通知を画像形成装置Ｇｋに対して行う（Ｓ３１）。
【０１８５】
画像形成装置Ｇｋは、初期化処理で通知レベル３に対して予め選択されている設定を画像形成装置Ｇｋに反映させる（Ｓ３２）。
【０１８６】
この通知レベル３に対する動作設定として、例えば、画像形成装置Ｇｋの電源のオフ等が設定されていると、画像形成装置Ｇｋは、画像形成装置Ｇｋ自身の電源をオフにする（Ｓ３３）。
【０１８７】
そして、図２８に示すように、状況管理サーバＳｊは、先に通知した状態変化が解消されたことを検知すると、解除通知として、通知レベル０の状態変化通知を画像形成装置Ｇｋに対して行う（Ｓ４１）。
【０１８８】
画像形成装置Ｇｋは、初期化処理で通知レベル０、すなわち、状態変化解除通知に対して予め選択されている設定を画像形成装置Ｇｋに反映させる（Ｓ４２）。
【０１８９】
画像形成装置Ｇｋは、この通知レベル０に対する動作設定として、例えば、初期設定（デフォルト設定）に戻すことが選択されていると、画像形成装置Ｇｋの動作設定を初期設定に戻す（Ｓ４３）。
【０１９０】
したがって、ウィルス感染等のセキュリティ状態の変化にかぎらず、ネットワーク状態の変化に対して、効果的な対応を取ることができる。
【０１９１】
このように、本実施例の画像処理システム１は、少なくともクライアント端末（端末装置）ＣＬ、画像形成装置（機器）Ｇｋ及び状況管理サーバ（状態管理装置）ＳｊがネットワークＮＷに接続され、該画像形成装置Ｇｋが、該クライアント端末ＣＬからのアクセスを受けて各種動作処理を行い、該状況管理サーバＳｊが、該クライアント端末ＣＬを含む該ネットワークＮＷの状態変化を検出する情報処理システムであって、前記状況管理サーバＳｊは、前記ネットワークＮＷを介して前記クライアント端末ＣＬ及び前記画像形成装置Ｇｋと通信する通信機能部（通信手段）６１と、通信機能部６１を介してクライアント端末ＣＬを含むネットワークＮＷにおける状態変化を検知する検知機能部（検知手段）６２と、通信機能部６１を介して前記状態変化情報を画像形成装置Ｇｋに通知する通知機能部（通知手段）６３と、を備え、前記画像形成装置Ｇｋは、前記ネットワークＮＷを介して前記クライアント端末ＣＬ及び前記状況管理サーバＳｊと通信する通信機能部（通信手段）３１と、動作処理における動作設定として初期設定されている初期設定情報と、状況管理サーバＳｊから通知される前記状態変化情報に応じた動作設定を示す変化状態設定情報とを記憶する設定情報記憶機能部（設定情報記憶手段）３３と、通信機能部３１が前記状態変化情報を受信すると、前記初期設定情報及び該状態変化情報と前記設定情報記憶機能部３３の前記変化状態設定情報に基づいて、現在の動作設定を変更する設定変更機能部（設定変更手段）３２と、前記動作設定に基づいて動作処理を制御する動作制御機能部（動作制御手段）３４と、を備えている。
【０１９２】
したがって、クライアント端末ＣＬを含むネットワークＮＷに、ウィルス感染等のセキュリティ状態を含む状態変化が発生すると、画像形成装置Ｇｋの動作設定を、該変化状態に応じた動作設定に変更する。その結果、ネットワークＮＷのセキュリティを含む状態変化に対して、効果的に対応することができる。
【０１９３】
また、本実施例の画像処理システム１は、少なくともクライアント端末ＣＬ、画像形成装置Ｇｋ及び状況管理サーバＳｊがネットワークＮＷに接続され、該画像形成装置Ｇｋが、該クライアント端末ＣＬからのアクセスを受けて各種動作処理を行い、該状況管理サーバＳｊが、該クライアント端末ＣＬを含む該ネットワークＮＷの状態変化を検出する情報処理システムにおける設定状態管理方法であって、前記状況管理サーバＳｊは、前記ネットワークＮＷを介してクライアント端末ＣＬ及び画像形成装置Ｇｋと通信する通信処理ステップと、前記通信処理ステップを介してクライアント端末ＣＬを含むネットワークＮＷにおける状態変化を検知する検知処理ステップと、前駆通信処理ステップを介して前記状態変化情報を画像形成装置Ｇｋに通知する通知処理ステップと、を有し、前記画像形成装置Ｇｋは、前記ネットワークＮＷを介してクライアント端末ＣＬ及び状況管理サーバＳｊと通信する通信処理ステップと、前記通信処理ステップで前記状態変化情報を受信すると、動作処理における設定状態として初期設定されている初期設定情報と、状況管理サーバＳｊから通知される前記状態変化情報に応じた設定状態を示す変化状態設定情報とを記憶する設定情報記憶機能部３３から、該初期設定情報と該変化状態設定情報を取得し、該初期設定情報と該変化状態設定情報及び該状態変化情報とに基づいて、現在の動作設定を変更する設定変更処理ステップと、前記動作設定に基づいて動作処理を制御する動作制御処理ステップと、を有する設定状態管理方法を実行する。
【０１９４】
したがって、クライアント端末ＣＬを含むネットワークＮＷに、ウィルス感染等のセキュリティ状態を含む状態変化が発生すると、画像形成装置Ｇｋの動作設定を、該変化状態に応じた動作設定に変更する。その結果、ネットワークＮＷのセキュリティを含む状態変化に対して、効果的に対応することができる。
【０１９５】
さらに、本実施例の画像処理システム１は、少なくともクライアント端末ＣＬ、画像形成装置Ｇｋ及び状況管理サーバＳｊがネットワークＮＷに接続され、該画像形成装置Ｇｋが、該クライアント端末ＣＬからのアクセスを受けて各種動作処理を行い、該状況管理サーバＳｊが、該クライアント端末ＣＬを含む該ネットワークＮＷの状態変化を検出する情報処理システムにおける機器である画像形成装置Ｇｋに、ネットワークＮＷを介して前記クライアント端末（端末装置）ＣＬ及び前記状況管理サーバ（状態管理装置）Ｓｊと通信する手順と、動作処理における設定状態として初期設定されている初期設定情報と、状況管理サーバＳｊから通知される前記状態変化情報に応じた設定状態（動作設定）を示す変化状態設定情報とを記憶する手順と、前記状態変化情報を受信すると、前記初期設定情報及び該状態変化情報と前記設定情報記憶手段の前記変化状態設定情報に基づいて、現在の動作設定を変更する手順と、を実行させるプログラムを搭載している。
【０１９６】
したがって、クライアント端末ＣＬを含むネットワークＮＷに、ウィルス感染等のセキュリティ状態を含む状態変化が発生すると、画像形成装置Ｇｋの動作設定を、該変化状態に応じた動作設定に変更する。その結果、ネットワークＮＷのセキュリティを含む状態変化に対して、効果的に対応することができる。
【０１９７】
また、本実施例の画像形成装置Ｇｋは、少なくとも端末装置であるクライアント端末ＣＬ及び状態管理装置である状況管理サーバＳｊが接続されているネットワークＮＷに接続され、該クライアント端末ＣＬからのアクセスを受けて各種動作処理を行い、該状況管理サーバＳｊから、該クライアント端末ＣＬを含む該ネットワークＮＷの状態変化の検出結果が通知される画像形成装置であって、前記ネットワークＮＷを介してクライアント端末ＣＬ及び状況管理サーバＳｊと通信する通信機能部（通信手段）３１と、動作処理における設定状態として初期設定されている初期設定情報と、状況管理サーバＳｊから通知される前記状態変化情報に応じた設定状態を示す変化状態設定情報とを記憶する設定情報記憶機能部（設定情報記憶手段）３３と、通信機能部３１が前記状態変化情報を受信すると、前記初期設定情報及び該状態変化情報と前記設定情報記憶機能部３３の前記変化状態設定情報に基づいて、現在の動作設定を変更するj設定変更機能部（設定変更手段）３２と、前記動作設定に基づいて動作処理を制御する動作制御機能部（動作制御手段）３４と、を備えている。
【０１９８】
したがって、クライアント端末ＣＬを含むネットワークＮＷに、ウィルス感染等のセキュリティ状態を含む状態変化が発生すると、画像形成装置Ｇｋの動作設定を、該変化状態に応じた動作設定に変更する。その結果、ネットワークＮＷのセキュリティを含む状態変化に対して、効果的に対応することができる。
【０１９９】
さらに、本実施例の画像処理システム１は、前記設定情報記憶機能部３３が、前記変化状態設定情報として、少なくとも、動作処理対象のデータへのアクセスを制御するアクセス制御設定情報、前記機器である画像形成装置Ｇｋの利用におけるユーザ認証を制御するユーザ認証制御設定情報を記憶し、前記設定変更機能部３２が、前記初期設定情報及び前記状態変化情報と前記設定情報記憶機能部３３の前記変化状態設定情報としての前記アクセス制御設定情報と前記ユーザ認証制御設定情報のうち、少なくともいずれかに基づいて、現在のアクセスの制御設定とユーザ認証制御設定のうち少なくともいずれかを変更する。
【０２００】
したがって、クライアント端末ＣＬを含むネットワークＮＷに、ウィルス感染等のセキュリティ状態を含む状態変化が発生すると、該変化状態に応じて、画像形成装置Ｇｋの動作設定のうち、アクセス制御設定とユーザ認証制御設定のうち少なくともいずれかの設定を変更する。その結果、データの改竄、取り出し、削除等や画像形成装置Ｇｋへの干渉を適切に防止することができ、セキュリティをより一層向上させることができる。
【０２０１】
また、本実施例の画像処理システム１は、前記検知機能部６２が、前記状態変化として、ウィルス感染を含むセキュリティ状態変化を検知し、前記設定情報記憶機能部３３が、前記変化状態設定情報として、ウィルスに対応するワクチンプログラムの取得動作を示すプログラム取得設定情報を記憶し、前記設定変更機能部３２が、前記初期設定情報及び前記状態変化情報のウィルス感染情報と前記設定情報記憶機能部３３の前記変化状態設定情報としての前記プログラム取得設定情報に基づいて、前記動作設定を、通知されたウィルス感染情報に応じたワクチンプログラムを取得する動作設定に変更する。
【０２０２】
したがって、クライアント端末ＣＬを含むネットワークＮＷに、ウィルス感染によるセキュリティ状態の変化が発生すると、該変化状態に応じて、画像形成装置Ｇｋの動作設定を、ウィルスに対応するワクチンプログラムの取得（ダウンロード）を実行する設定に変更する。その結果、ウィルスに感染した場合に適切にワクチンプログラムを取得して対応することができ、セキュリティをより一層向上させることができる。
【０２０３】
さらに、本実施例の画像処理システム１は、前記検知機能部６２が、前記状態変化として、ウィルス感染を含むセキュリティ状態変化を検知し、前記設定情報記憶機能部３３が、前記変化状態設定情報として、ウィルスに対応するワクチンプログラムの取得催促動作を示すプログラム取得催促設定情報を記憶し、前記設定変更機能部３２が、アクセスしてくるクライアント端末ＣＬに対して、前記初期設定情報及び前記状態変化情報のウィルス感染情報と前記設定情報記憶機能部３３の前記変化状態設定情報としての前記プログラム取得催促設定情報に基づいて、前記動作設定を、ウィルスに感染している旨及び前記ワクチンプログラムの取得を促す旨の通知を行う動作設定に変更する。
【０２０４】
したがって、クライアント端末ＣＬを含むネットワークＮＷに、ウィルス感染によるセキュリティ状態の変化が発生すると、該変化状態に応じて、画像形成装置Ｇｋの動作設定を、ウィルスに対応するワクチンプログラムの取得（ダウンロード）を、クライアント端末ＣＬに催促する設定に変更する。その結果、ウィルスに感染した場合に、クライアント端末ＣＬにワクチンプログラムを取得させてウィルスに対応することができ、セキュリティをより一層向上させることができる。
【０２０５】
また、本実施例の画像処理システム１は、少なくともクライアント端末（端末装置）ＣＬ、画像形成装置（機器）Ｇｋ及び状況管理サーバ（状態管理装置）ＳｊがネットワークＮＷに接続され、該画像形成装置Ｇｋが、該クライアント端末ＣＬからのアクセスを受けて各種動作処理を行い、該状況管理サーバＳｊが、該クライアント端末ＣＬを含む該ネットワークＮＷの状態変化を検出する情報処理システムであって、前記画像形成装置Ｇｋは、前記ネットワークＮＷを介して前記クライアント端末ＣＬ及び前記状況管理サーバＳｊと通信する通信機能部（通信手段）６１と、動作処理における動作設定として初期設定されている初期設定情報と、前記状況管理サーバＳｊから通知される前記状態変化情報に応じた動作設定を示す変化状態設定情報とを記憶する設定情報記憶機能部（設定情報記憶手段）３３と、前記通信機能部６１が前記状態変化情報を受信すると、前記初期設定情報及び該状態変化情報と前記設定情報記憶手段の前記変化状態設定情報に基づいて、現在の動作設定を変更する設定変更機能部（設定変更手段）３２と、前記動作設定に基づいて動作処理を制御する動作制御機能部（動作制御手段）３４と、を備えている。
【０２０６】
したがって、クライアント端末ＣＬを含むネットワークＮＷに、ウィルス感染等のセキュリティ状態を含む状態変化が発生すると、画像形成装置Ｇｋの動作設定を、該変化状態に応じた動作設定に変更する。その結果、ネットワークＮＷのセキュリティを含む状態変化に対して、効果的に対応することができる。
【０２０７】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０２０８】
１  画像処理システム
ＮＷ  ネットワーク
Ｇｋ  画像形成装置
Ｓｊ  状況管理サーバ
Ｓｐ  プログラムサーバ
ＣＬ  クライアント端末
Ｓｄ  データ管理サーバ
Ｒｔ  ルータ
ＩＮ  インターネット
ＧＴ  外部装置
１１  制御部
１２  操作表示部
１３  エンジン部
１４  プログラム管理部
１５  １次記憶部
１６  ２次記憶部
１７  外部通信部
１８  個人認証部
Ｔｂ１  対応テーブル
２１  ＯＳ
２２  サービス層ソフトウェア
２３  設定アプリ
２４  通信Ｉ／Ｆソフトウェア
２５  操作アプリ
２６  認証アプリ
２７  管理アプリ
３１  通信機能部
３２  設定変更機能部
３３  設定情報記憶機能部
３４  動作制御機能部
４１  制御部
４２  ＵＩ部
４３  １次記憶部
４４  ２次記憶部
４５  外部通信部
５１  ＯＳ
５２  サービス層ソフトウェア
５３  通信Ｉ／Ｆソフトウェア
５４  ＵＩアプリ
５５  異常検知アプリ
６１  通信機能部
６２  検知機能部
６３  通知機能部
７１  ＯＳ
７２  サービス層ソフトウェア
７３  通信Ｉ／Ｆソフトウェア
７４  ＵＩアプリ
７５  プログラム管理アプリ
Ｌｔ１  プログラムリスト
８１  ＯＳ
８２  サービス層ソフトウェア
８３  通信Ｉ／Ｆソフトウェア
８４  ＵＩアプリ
８５  データ管理アプリ
Ｌｐ  プログラム管理リスト
【先行技術文献】
【特許文献】
【０２０９】
【特許文献１】特開２００６−４１７４０号公報
【図１】
0006522906.tif 000002
【図２】
0006522906.tif 000003
【図３】
0006522906.tif 000004
【図４】
0006522906.tif 000005
【図５】
0006522906.tif 000006
【図６】
0006522906.tif 000007
【図７】
0006522906.tif 000008
【図８】
0006522906.tif 000009
【図９】
0006522906.tif 000010
【図１０】
0006522906.tif 000011
【図１１】
0006522906.tif 000012
【図１２】
0006522906.tif 000013
【図１３】
0006522906.tif 000014
【図１４】
0006522906.tif 000015
【図１５】
0006522906.tif 000016
【図１６】
0006522906.tif 000017
【図１７】
0006522906.tif 000018
【図１８】
0006522906.tif 000019
【図１９】
0006522906.tif 000020
【図２０】
0006522906.tif 000021
【図２１】
0006522906.tif 000022
【図２２】
0006522906.tif 000023
【図２３】
0006522906.tif 000024
【図２４】
0006522906.tif 000025
【図２５】
0006522906.tif 000026
【図２６】
0006522906.tif 000027
【図２７】
0006522906.tif 000028
【図２８】
0006522906.tif 000029